(57)【要約】【課題】体外の携帯用医療装置の利用者がその装置からデータをより容易に読み取れるようにするシステムおよび方法を提供する。【解決手段】携帯用医療装置１０５とディスプレイ装置との間のインターフェースを提供するシステムおよび方法が、携帯用医療装置からの信号を受信する過程を含んでいてよい。携帯用医療装置は、携帯用医療装置上に表示されるデータに対応する情報を含む信号を生み出すように構成されていてよい。携帯用医療装置とディスプレイ装置との間のインターフェースを提供するシステムおよび方法は、携帯用医療装置上に表示されるデータに対応する情報をディスプレイ装置に送信する過程を、さらに含んでいてよい。ディスプレイ装置は、携帯用医療装置上に提供される画像に比べて、携帯用医療装置上に表示されるデータのより大きな画像を提供するように構成されていてよい。【選択図】図１
2008501476.tif 000002
【特許請求の範囲】
【請求項１】
携帯用医療装置とディスプレイ装置との間のインターフェースを提供する方法において、
前記携帯用医療装置から信号を受信する過程であって、前記携帯用医療装置上に表示されるデータの少なくとも一部に対応する情報を前記信号が含む、過程と、
前記携帯用医療装置上に表示される前記データに対応する前記情報を前記ディスプレイ装置へ送信する過程であって、前記携帯用医療装置上に提供される画像に比べて、前記携帯用医療装置上に表示される前記データのより大きな画像を提供するように前記ディスプレイ装置が構成されている、過程と、
を具備する、方法。
【請求項２】
請求項１に記載の方法において、
前記携帯用医療装置が、注入装置、グルコース計（glucometer）、ならびに、システムとして一体にまたは別個に動作する注入装置およびグルコース計の組み合わせを含む装置、のうちのいずれかを含む、方法。
【請求項３】
請求項１に記載の方法において、
前記携帯用医療装置が、前記信号を生み出すように構成されている、方法。
【請求項４】
請求項１に記載の方法において、
前記信号が、承認された携帯用医療装置から送信されたか否かを判定する過程と、
前記判定に基づいて、前記ディスプレイ装置に前記情報が送信されることを許可する過程と、
をさらに具備する、方法。
【請求項５】
請求項１に記載の方法において、
前記携帯用医療装置からの前記信号の受信に基づいて、前記ディスプレイ装置を動作させる過程、
をさらに具備する、方法。
【請求項６】
請求項１に記載の方法において、
前記情報の第１の部分を前記ディスプレイ装置の第１の領域に表示し、前記情報の後続部分（further portion）を前記ディスプレイ装置の別の部分に表示する過程、
をさらに具備する、方法。
【請求項７】
請求項１に記載の方法において、
前記ディスプレイ装置に送信された前記信号の一部に基づいて、前記ディスプレイ装置から利用者に視覚的および／または聴覚的警告の少なくとも一つを提供する過程、
をさらに具備する、方法。
【請求項８】
請求項１に記載の方法において、
前記ディスプレイ装置に送信された前記情報の少なくとも一部を聴覚的に知らせる、方法。
【請求項９】
請求項１に記載の方法において、
前記送信する過程が、オーディオ／ビデオフォーマットを有する信号を含む、方法。
【請求項１０】
注入装置、グルコース計、および、ディスプレイ装置の間のインターフェースを提供する方法において、
前記グルコース計および前記注入装置のうちの少なくとも一つからの対応する信号を受信する過程であって、前記グルコース計および前記注入装置の両方が前記対応する信号を生み出すように構成されていて、前記対応する信号は、前記グルコース計および前記注入装置のうちの少なくとも一つに表示されるデータの少なくとも一部に対応する情報を含む、過程と、
前記グルコース計および前記注入装置のうちの少なくとも一つに表示される前記データの前記少なくとも一部に対応する前記情報を送信する過程であって、前記グルコース計および前記注入装置のうちの少なくとも一つに表示される画像に比べて、前記グルコース計および前記注入装置のうちの少なくとも一つに表示される前記対応するデータのより大きな画像を提供するように前記ディスプレイ装置が構成された、過程と、
を具備する、方法。
【請求項１１】
請求項１０に記載の方法において、
前記信号が無線で受信される、方法。
【請求項１２】
請求項１０に記載の方法において、
前記情報が無線で送信される、方法。
【請求項１３】
請求項１０に記載の方法において、
前記グルコース計からの前記情報を前記ディスプレイ装置の第１の領域に表示し、前記注入装置からの前記情報を前記ディスプレイ装置の別の部分に表示する過程、
をさらに具備する、方法。
【請求項１４】
請求項１３に記載の方法において、
前記グルコース計からの前記情報および前記注入装置からの前記情報を順番に前記ディスプレイ装置上に表示する過程、
をさらに具備する、方法。
【請求項１５】
携帯用医療装置とディスプレイ装置との間のインターフェースを提供するシステムにおいて、
前記携帯用医療装置から信号を受信する手段であって、前記携帯用医療装置上に表示されるデータの少なくとも一部に対応する情報を前記信号が含む、手段と、
前記携帯用医療装置上に表示される前記データに対応する前記情報を前記ディスプレイ装置に送信する手段であって、前記携帯用医療装置上に提供される画像に比べて、前記携帯用医療装置上に表示される前記データのより大きな画像を提供するように前記ディスプレイ装置が構成されている、手段と、
を具備する、システム。
【請求項１６】
請求項１５に記載のシステムにおいて、
前記携帯用医療装置が、前記信号を生み出すように構成されている、システム。
【請求項１７】
請求項１５に記載のシステムにおいて、
前記ディスプレイ装置に前記情報を送信するか否かを判定する手段、
をさらに具備する、システム。
【請求項１８】
請求項１５に記載のシステムにおいて、
受信された前記信号に基づいて、前記ディスプレイ装置を動作させる手段、
をさらに具備する、システム。
【請求項１９】
請求項１５に記載のシステムにおいて、
前記携帯用医療装置からの前記情報を表示するように前記ディスプレイ装置を制御する手段、
をさらに具備する、システム。
【請求項２０】
請求項１５に記載のシステムにおいて、
前記携帯用医療装置が、注入装置、グルコース計、ならびに、システムとして一体でまたは別々に動作する注入装置およびグルコース計の組み合わせを含む装置、のうちの一つを含む、システム。
【請求項２１】
請求項２０に記載のシステムにおいて、
前記注入装置および前記グルコース計が、共通のハウジング内に収容されている、システム。
【請求項２２】
携帯用医療装置とディスプレイ装置との間のインターフェースを提供するシステムにおいて、
データベースを維持するためのメモリと、
前記メモリに接続された処理ユニットであって、
前記処理ユニットが、
前記携帯用医療装置からの信号を受信する過程であって、前記携帯用医療装置上に表示されるデータの少なくとも一部に対応する情報を前記信号が含む、過程、ならびに、
前記携帯用医療装置上に表示される前記データに対応する前記情報を前記ディスプレイ装置に送信する過程であって、前記携帯用医療装置上に提供される画像に比べて、前記携帯用医療装置上に表示される前記データの少なくとも一部のより大きな画像を提供するように前記ディスプレイ装置が構成されている、過程、
を実行する、処理ユニットと、
を具備する、システム。
【発明の詳細な説明】
【開示の内容】
【０００１】
本出願は、２００４年５月２０日に出願された米国仮特許出願第６０／５７２，５００号の優先権を主張している。
【０００２】
〔発明の分野〕
本発明は、大まかに言って、インターフェースの提供に関する。より詳しく言うと、本発明は、携帯用医療装置とディスプレイ装置との間のインターフェースの提供に関する。さらに、より詳しく言うと、本発明は、携帯用医療装置とディスプレイ装置との間のインターフェースの提供に関し、ここで、携帯用医療装置は、例えば、携帯用注入ポンプまたはグルコース計（glucometer）を含み、ディスプレイ装置は、例えば、テレビを含む。
【０００３】
〔背景情報〕
体外の携帯用医療装置のような装置は、例えばインシュリンまたは薬剤のような物質を、チューブおよび中空の針（注入セット）を通して、患者の体内に導入してよい。注入ポンプまたはグルコース計のような体外の携帯用医療装置は、例えば、衣服のポケット内に入るように、できるだけ小型に設計されていて、そして、より包括的に言うと、容易に隠すことができるように十分小型である。製造業者は、そのような装置に含まれているディスプレイをできるだけ大きく作ろうと試みるが、装置の小さなハウジングによって制約を受ける。しかし、典型的には、その表示領域は、多くの利用者によって、小さいこと、および、読むのが難しいこと、が報告されることが多い。
【０００４】
体外の携帯用医療装置のディスプレイが読みづらいことに加えて、システムのバッテリーの容量が限られている。その結果、選択されたディスプレイ技術は、消費電力が少ないＬＣＤである。ＬＣＤディスプレイは、低いコントラスト、および、狭い視野角を提供することでよく知られている。これらのＬＣＤディスプレイは、通常は、バックライト技術によって補強されていて、明るさの少ない周囲環境中でディスプレイを見ることができるようにされている。しかし、過剰なバッテリーの消耗を防止するために、バックライトの強さは、最小に保たれることが多い。したがって、ＬＣＤの読み取り可能性は、バックライトによっては、大きく改善されることはない。ＯＬＥＤ（有機発光ダイオード）のような新たなディスプレイ技術がＬＣＤのコントラストおよび方向性の問題にある程度取り組んでいるが、フォントおよび／またはアイコンのサイズは、多くの利用者にとって依然として小さすぎる。
【０００５】
体外の携帯用医療装置が、例えば、インシュリンポンプまたはグルコース計を含む場合、装置の優れた読み取り可能性の必要性は、利用者の糖尿病性眼疾患によってさらに複雑にされることがある。糖尿病性眼疾患は、糖尿病の人々を悩ます眼の疾患群である。これらの眼の疾患には、１）網膜に栄養を与える毛細血管が弱くなり、破壊され、または、閉塞されたときに起こる、糖尿病性網膜症、２）目の本来の水晶体が曇る、白内障、３）眼の中で増加した流体が視神経を損傷するときにかかる、緑内障などが含まれる。
【０００６】
上述したことを考慮して、体外の携帯用医療装置の利用者がその装置からデータをより容易に読み取れるようにするシステムおよび方法が必要とされている。
【０００７】
〔発明の概要〕
本発明の例示的な実施の形態との一貫性を有して、携帯用医療装置とディスプレイ装置との間のインターフェースを提供するシステムおよび方法が開示される。
【０００８】
本発明のある例示的な実施の形態に基づけば、携帯用医療装置とディスプレイ装置との間のインターフェースを提供する方法は、携帯用医療装置から信号を受信する過程であって、その信号が携帯用医療装置に表示されるデータに対応する情報を含む、過程と、携帯用医療装置に表示されるデータに対応する情報をディスプレイ装置に送信する過程であって、ディスプレイ装置が携帯用医療装置上に提供される画像に比べて、携帯用医療装置上に表示されるデータのより大きな画像を提供するように構成されている、過程と、を具備する。
【０００９】
本発明の別の例示的な実施の形態に基づけば、携帯用医療装置とディスプレイ装置との間のインターフェースを提供するシステムは、携帯用医療装置からの信号を受信するように構成されたコンポーネントであって、その信号が携帯用医療装置上に表示されるデータに対応する情報を含む、コンポーネントと、互換性を有するビデオおよびオーディオフォーマットを用いて、携帯用医療装置上に表示されるデータに対応する情報をディスプレイ装置へ送信するように構成されたコンポーネントであって、ディスプレイ装置が携帯用医療装置上に提供される画像に比べて、携帯用医療装置上に表示されるデータのより大きな画像を提供するように構成されている、コンポーネントと、を具備する。
【００１０】
本発明のさらに別の実施の形態に基づけば、携帯用医療装置とディスプレイ装置との間のインターフェースを提供するシステムは、データベースを維持するための記憶メモリと、記憶メモリに接続された処理ユニットと、を具備し、処理ユニットは、携帯用医療装置に対してデータおよび命令／制御信号を双方向で通信するように動作し、信号は携帯用医療装置上に表示されるデータに対応する情報を含み、処理ユニットは、適切なビデオおよびオーディオフォーマットを用いて、携帯用医療装置上に表示されるデータに対応する情報をディスプレイ装置へ送信するように動作し、ディスプレイ装置は、携帯用医療装置上に提供される画像に比べて、携帯用医療装置上に表示されるデータのより大きな画像を提供するように構成されている。
【００１１】
上記の大まかな記載および以下の詳細な説明の両方が、例示的および説明的であるのみであって、明細書中に記載され特許請求の範囲で主張された本発明の範囲を限定するものであるとみなされるべきでないことが、理解されなければならない。さらに、特徴および／または変形が、本明細書に記載された内容に加えて、提供されてもよい。例えば、本発明の実施の形態は、詳細な説明に記載された特徴のさまざまな組み合わせおよび部分的な組み合わせを指向していてもよい。
【００１２】
本発明が、具体的な実施の形態を参照して本明細書に例示され記載されているが、本発明は、例示された細部に限定されることを意図されていない。そうではなく、さまざまな変形が、特許請求の範囲の等価物の領域および範囲内で、本発明から逸脱せずに、細部において行われてもよい。
【００１３】
一般的な実務に基づいて、図面中のさまざまな特徴部は一定の縮尺で描かれていないことが強調される。逆に、さまざまな特徴部の寸法は、明瞭にするために、任意に拡張または縮小されている。図面には、以下の図が含まれている。
【００１４】
〔発明の詳細な説明〕
以下の詳細な説明は、添付の図面を参照する。可能な限りどこでも、同じ符号が同じまたは類似の部分を示すために図面中および以下の説明で、用いられている。本発明の現時点で好ましい実施の形態および特徴が、本明細書に記載されているが、変形、調節、および、その他の実施例が、本発明の真髄および範囲を逸脱せずに、可能である。例えば、置換、追加、または、変形、が、図面に示されたコンポーネントに行われてもよく、本明細書に記載された例示的な方法が、過程を置き換え、過程の順番を変え、または、過程を追加することによって変形されてもよい。したがって、以下の詳細な説明は、本発明を限定するものではない。そうではなく、本発明の正確な範囲は、添付の特許請求の範囲によって定義される。
【００１５】
本発明との一貫性を有するシステムおよび方法は、携帯用医療装置とディスプレイ装置との間のインターフェースを提供する。例えば、本発明の実施の形態は、送信機（無線または無線でない）を収容した携帯用医療装置を含み、その送信機は、携帯用医療装置からのある距離範囲内でその装置のスクリーン上に現れる情報の少なくとも一部を送信する。携帯用医療装置の「スクリーン情報」は、携帯用医療装置のスクリーン上に表示されるのと同時に携帯用医療装置によって送信されることができる。送信されたスクリーン情報は、受信機によって受信され、テレビジョン（ＴＶ）フォーマット（ＮＴＳＣ、ＰＡＬ、ＳＥＣＡＭ、など）のような、より大型の遠隔のディスプレイのための適切なフォーマットに符号化される。次に、この信号は、信号が他の放送番組の機能を伴わない一つのＴＶチャンネルを占有するような方法で、ケーブルまたはアンテナＴＶ信号と、望ましくは組み合わされてよい。
【００１６】
簡単化のために、本明細書の残りの部分では、遠隔のディスプレイ装置は、ＴＶとして言及される。これは、本発明をいずれのようにも限定することを意図するものではなく、例えば、モニター、または、コンピュータディスプレイのような、その他の種類のディスプレイが、用いられてもよいことを意図している。
【００１７】
動作中には、利用者が携帯用医療装置を使用またはプログラムする必要があるときにはいつでも、利用者はＴＶを予め決められたチャンネルにセットして、携帯用医療装置の「スクリーン情報」を表示する。このチャンネルに切り替えると、利用者は、携帯用医療装置のスクリーン上に表示されるのと同様の情報をＴＶスクリーン上で見ることができる。言い換えれば、ＴＶを「携帯用医療装置チャンネル」に切り替えた後は、利用者は携帯用医療装置をその医療装置のキーパッドを作動させることによって操作することができる。しかし、利用者はもはや携帯用医療装置のスクリーンを見る必要はなく、それどころか、利用者はＴＶスクリーンを見ることができる。例えば、携帯用医療装置の動作またはプログラミングを終了するときには、利用者は単にＴＶのリモコンを用いて通常のＴＶ番組に戻ることができる。比較的大型で明るいＴＶスクリーンは、利用者が表示された情報をより容易に見ることができるようにする。さらに、カラーを用いることによって、ある種類の情報を強調しまたは目立たなくして、利用者の視覚的なインターフェースの効果を洗練することがより容易になる。
【００１８】
さらに、ある例示的な実施の形態では、システムは、携帯用医療装置から放射された信号を検出すると、自動的にＴＶを携帯用医療装置チャンネルに切り替えてよい。さらに、システムは、放送番組の情報（ケーブルまたはアンテナ）なしのチャンネルを自動的に検出して、他で占有されていないそのチャンネル（本明細書では以下で「携帯用医療装置チャンネル」と呼ばれる。）を用いて、携帯用医療装置の情報を表示できる。
【００１９】
ある例示的な実施の形態では、携帯用医療装置による送信が、ＴＶをつけてＴＶを携帯用医療装置チャンネルに切り替えるために用いられてよい。さらに、システムは、携帯用医療装置が警報または警告のような安全情報を送信すると、自動的にＴＶを携帯用医療装置チャンネルに切り替えてよい。
【００２０】
さらに、ディスプレイ装置は、より最新のＴＶのピクチャーインピクチャー（ＰＩＰ）機能を用いて、使用／プログラミング、または、警報および警告、の状態を表示してよい。警報および／または警告に関しては、警報または警告を生み出す状態が生じたときに利用者がＴＶスクリーンを現在見ていない場合に、視覚的な表示に加えて、または、視覚的な表示の代わりに、警報または警告が聴覚的に提供されてもよいことが考えられている。さらに、システムのハードウェアおよびソフトウェアがすべて、例えば、ＡＳＩＣの形態でのように、ＴＶ内に完全に一体化されていてよい。さらに、システムは、携帯用医療装置と受信機との間の任意の適切な通信プロトコルを用いて、いずれの情報もデータの完全性がチェックされてから、そのデータが表示される前に確認されて携帯用医療装置に戻されるようにされていてよい。
【００２１】
さらに、システムは、特定の装置のみを認識し、その装置の予め決められた識別子（ＩＤ）を組み込んでいないいずれの送信も無視するように、プログラムされていてよい。このＩＤは、例えば、携帯用医療装置によって送信されるヘッダーまたは選択されたデータワードの一部として送信パケットに組み込まれてよい。別の例示的な実施の形態では、システムは、少なくとも２つの装置を一度にまたは別々に認識し、所望に応じて、それらの装置の各々の情報を、同時にまたは別々に、表示するように、構成されていてよい。例えば、システムは、グルコース計および携帯用インシュリン医療ポンプの両方を認識するようにプログラムされていてよく、利用者は各装置からのデータを２つの別々のＰＩＰで、または、一つの組み合わされた画像で、視覚化できる。システムが認識できるその他の装置には、グルコースセンサー（植え込まれている、または、植え込まれていない。）などがある。さらに、システムは、以前に表示された情報（スクリーン履歴）を記憶および検索するためのメモリを含んでいてよく、利用者および他の介護者が、所望に応じて、履歴情報を再び見ることができるようになっていてよい。インシュリンポンプおよびグルコース計は、例えば、ひとつのシステムとして一体に動作する、または、独立して動作する、２つの物理的な存在であってよいが、インシュリンポンプおよびグルコース計は、共通のハウジング内の一つのシステムとして動作する２つの別個の機能（ポンプおよびグルコース計）であってもよい。
【００２２】
さらに、システムは、ＴＶのオーディオ回路を、使用時のもしくはプログラミングの情報を利用者に伝えるために、または、携帯用医療装置からの警報ならびに警告が直ちに注意する必要がある場合に利用者の注意を得るために、用いてよい。この機能は、ＴＶスクリーンの情報と同時に、または、ＴＶスクリーンの情報に代わって、用いられてよい。さらに、利用者は、例えば、携帯用医療装置のバッテリーの寿命を延ばすために、携帯用医療装置が表示データをＴＶに供給しているときは、携帯用医療装置のＬＣＤスクリーンを消すことを選択してよい。
【００２３】
さらに、携帯用医療装置と受信機との間で用いられている例示的な双方向通信プロトコルは、データの盗聴または送信への干渉を防止するために暗号化技術を用いてよい。さらに、双方向通信プロトコルは、送信データのどのような改悪をも識別するために、例えば、巡回冗長検査（ＣＲＣ）のような、よく知られたエラーチェックルーチンまたはインジケーターを含んでいてよい。携帯用医療装置によって送信されるデータの量を最小にするために、そして、携帯用医療装置のバッテリーの寿命を改善するために、システムの通信プロトコルは、よく知られたデータ圧縮技術を組み込んでいてよい。
【００２４】
さらに、システムが技術的な問題を被りやすく、携帯用医療装置の情報を適正に表示できない場合には、システムは、携帯用医療装置に信号を送信して、携帯用医療装置が携帯用医療装置のメモリに履歴データを記録するようにさせる。さらに、システムは、自己診断を実行して、ＴＶスクリーン上に具体的な対応するメッセージを表示して、利用者に具体的な指示を提供してよい。
【００２５】
即時のスクリーン情報に加えて、携帯用医療装置は、例えば、携帯用医療装置のバッテリーの残りのエネルギー、または、カートリッジ内の残りのインシュリンユニットの個数、を示すスライディングバーを示すため、装置のスクリーンの簡単な複製を補足するために用いられる背景情報をＴＶに送信するように構成されていてもよい。したがって、ＴＶスクリーンは、携帯用医療装置のスクリーンを複製するだけでなく、スクリーン上に提供される情報を補足することによって携帯用医療装置のスクリーンの能力を高めることもできる。
【００２６】
さらに、システムは、複数の言語をサポートしていてよい。例えば、携帯用医療装置は、インターフェースのデータベースに、ＴＶを見るために必要な言語ストリングおよびフォントをダウンロードしてよい。この機能によって、インターフェース装置内で複数の言語をサポートする必要がなく、それどころか、携帯用医療装置は、必要な言語情報をインターフェースのデータベースにダウンロードできる。
【００２７】
インターフェースシステムを動作させるのに必要なソフトウェアは、携帯用医療装置からダウンロードできる。したがって、携帯用医療装置がソフトウェアのアップグレード版を受け取った場合には、携帯用医療装置およびインターフェースが次に通信を行うときに、インターフェースシステムに関連するソフトウェアをアップデートすることが可能である。
【００２８】
本発明との一貫性を有する例示的な実施の形態は、インターフェースシステムを含んでいてよい。インターフェースシステムは、携帯用医療装置とディスプレイ装置との間のインターフェースを提供してよい。インターフェースシステムは、携帯用医療装置との間で双方向に通信を行うように構成されたコンポーネントを含んでいてよい。携帯用医療装置は、信号を生み出すように構成されていてよく、その信号は、携帯用医療装置上に表示されるデータに対応する情報を含んでいる。さらに、システムは、携帯用医療装置上に表示されるデータに対応する情報を、適切なビデオおよびオーディオフォーマットを用いて、ディスプレイ装置に送信するように構成されたコンポーネントを含んでいてよい。このディスプレイ装置は、携帯用医療装置上に提供される画像に比べて、携帯用医療装置上に表示されるデータのより大きな画像を提供するように構成されていてよい。
【００２９】
本発明のある実施の形態との一貫性を有して、上記のコンポーネントが、図１の例示的なインターフェースシステム１００のような、インターフェースシステムで実現されてよい。ハードウェア、ソフトフェア、および／または、ファームウェア、の任意の適切な組み合わせが、メモリ、処理ユニット、および／または、その他のコンポーネントのようなコンポーネントを実現するために用いられてよい。例えば、メモリ、処理ユニット、または、その他のコンポーネント、は、システム１００と組み合わされてインターフェース装置１１０と共に実現されてよい。上記のシステムおよび装置は、例示的であり、その他のシステム、および、装置、が、本発明の実施の形態との一貫性を有して、上記のメモリ、処理ユニット、または、他のコンポーネント、を含んでいてよい。上述したように、システムは、メモリおよび処理ユニットに限定されず、例えば、ハードウェアで完全に実現されてもよい。
【００３０】
非限定的な例として、図１は、そのシステム内で本発明の特徴および原理を実現することができるシステム１００を示している。図１は、ディスプレイ装置がテレビジョン受信機を含むことができる、本発明の実施の形態を示している。ディスプレイ装置はテレビジョン受信機を含むことができるが、本発明はテレビジョン受信機に限定されず、モニターのような他の装置がディスプレイ装置として用いられてよいことが、適正に評価されるはずである。さらに、本発明は、携帯用医療装置に限定されず、その他の装置が用いられてもよい。図１のブロック図に示されているように、システム１００は、携帯用医療装置１０５、インターフェース装置１１０、コンバイナー１１５、および、ＲＦ変調器１２０、を含んでいてよい。インターフェース装置１１０は、送信機１２５、受信機１３０、処理ユニット１３５、ビデオ信号発生器１４０、および、記憶メモリ１４５、を含んでいてよい。
【００３１】
携帯用医療装置１０５は、以下に限定されないが、注入装置、グルコース計、または、別個の物理的装置として、もしくは、共有する同じハウジング内で相補的な機能として、組み合わされて動作する注入装置およびグルコース計を含む装置、を含んでいてよい。グルコース計は、例えば、注入装置用の遠隔のコントローラとして用いられてよい。携帯用医療装置１０５が、装置の組み合わせを含む場合、組み合わせ中の両方の装置に対応するデータまたはその他の情報は、一体化されて表示されてよい。上述されたように、携帯用医療装置１０５は、任意の装置または装置の組み合わせを含んでいてよい。
【００３２】
送信機１２５は、携帯用医療装置１０５に信号を送信してよく、受信機１３０は、携帯用医療装置１０５からの信号を受信してよい。信号は、有線通信システム、無線通信システム、または、有線および無線の組み合わせ、を用いて送信および受信されてよい。無線通信は、放送電波を介した無線伝送として定義されてよい。しかし、さまざまなその他の通信および変調技術が、無線伝送を提供するために用いられてよく、例えば、赤外線、ブルートゥースのような短距離ＲＦ、携帯電話、マイクロ波、音響、および、スペクトル拡散無線通信（spread spectrum radio）、などが用いられてよいことが、適正に評価されてよい。
【００３３】
処理ユニット１３５は、受信機１３０からの信号を処理して、データの完全性、および、例えば携帯用医療装置１０５の携帯用装置ＩＤ、をチェックするように構成されている。処理ユニット１３５は、表示されるべきスクリーン情報およびデータを復号化してよい。さらに、処理ユニット１３５は、制御信号および指令信号を送信機１２５に送って、例えば、携帯用医療装置１０５のデータを確認し、特定の状態を信号で知らせてよい。さらに、処理ユニット１３５は、メモリ１４５に情報を記憶してよい。
【００３４】
ビデオ信号発生器１４０は、処理ユニット１３５によって提供されたディスプレイ情報をビデオ信号に変換するように構成されている。ＲＦ変調器１２０は、例えば、利用可能なＴＶチャンネルに対応する搬送周波数（チャンネル周波数）を生み出してよい。さらに、ＲＦ変調器１２０は、この搬送周波数を、ビデオ信号発生器１４０によって提供されたビデオ信号で変調してよい。さらに、ＲＦ変調器１２０は、処理ユニット１３５によって制御されて、例えば、搬送周波数（使用するチャンネル）を選択してよい。コンバイナー１１５は、ＲＦ変調器１２０によって提供された信号とケーブルＴＶ（またはアンテナ）とを、例えば、一つの信号に結合してよく、その信号は次に（必要な場合には）増幅されて、テレビジョン受信機の入力装置（図示されていない）に送られてよい。さらに、コンバイナー１１５は、ＲＦ変調器の信号がアンテナまたはケーブルＴＶのフィーダー（cable TV feed）にフィードバックされるのを防止するフィルターシステムを提供してよい。モニターがＴＶの代わりにディスプレイ装置として用いられる場合、ビデオ信号発生器１４０はビデオ信号発生器の信号を直接モニターに送ってよく、その場合には、ＲＦ変調器１２０およびコンバイナー１１５は必要でない場合があることが注意されてよい。
【００３５】
ＲＦ変調／結合が、ディスプレイへ入力される信号に関して上述されたが、本発明は、そのように限定されることはないことが、注意されなければならない。もちろん、別の種類の信号インターフェースが用いられてもよく、（非限定的な例として）Ｓビデオ、コンポーネントビデオ、デジタルビデオインターフェース（ＤＶＩ）、高解像度マルチメディアインターフェース（ＨＤＭＩ）、ＲＧＢ、および、さまざまな他のＩＥＥＥおよび／またはＡＮＳＩ標準が、個別に、または、組み合わされて、用いられてもよい。さらに、インターフェースシステムによってディスプレイに提供されるオーディオ信号が、一つまたは複数のさまざまなフォーマットで提供されてもよい。非限定的な例として、モノラル、ステレオ、ステレオフォーマットの単一のチャンネル、デジタルビデオ信号と組み合わされたオーディオ（上記のＨＤＭＩでのような）、デジタルオーディオ（無線、同軸、および／または、光ファイバー）、などがある。
【００３６】
図２は、携帯用医療装置とディスプレイ装置との間のインターフェースを提供する例示的な方法に含まれる大まかなステージを記載したフロー図である。方法２００のステージを実現するための例示的な方法が、以下により詳しく記載される。例示的な方法２００は、開始ブロック２０５で始まり、次に、ステージ２１０に進み、ステージ２１０では、インターフェース装置１１０が、携帯用医療装置１０５からの信号を受け取ってよい。携帯用医療装置１０５は、その信号を生み出すように構成されていてよい。例えば、信号は、携帯用医療装置１０５上に表示されるデータに対応する情報を含んでいてよい。
【００３７】
インターフェース装置１１０が携帯用医療装置１０５からの信号を受け取るステージ２１０から、例示的な方法２００は、ステージ２１５に進んでよく、ステージ２１５では、インターフェース装置１１０は、携帯用医療装置上に表示されるデータに対応する情報をディスプレイ装置に送ってよい。例えば、ディスプレイ装置は、携帯用医療装置上に提供される画像に比べて、携帯用医療装置上に表示されるデータのより大きな画像を提供するように構成されていてよい。インターフェース装置１１０が、携帯用医療装置上に表示されたデータに対応する情報を送った後に、例示的な方法２００は、ステージ２２０で終了する。
【００３８】
図３は、本発明に基づく別の例示的な方法のフロー図である。図３の方法は、図２の方法と類似しており、認識された装置から放射された信号を認識されていない装置からの信号と区別する追加のステップを組み込んでいる。例示的な方法では、この信号の区別は、ステップ３０５によって行われ、ステップ３０５では、ステップ２１０で受け取られた信号に関連するＩＤがチェックされて、期待されたＩＤと一致するか否かが判定される。この判定は、例えば、ルックアップテーブルによって行われてよい。ＩＤが一致するとステップ２１５に進み、一致しないと、プロセスはステップ２２０で終了する。
【００３９】
図４は、本発明に基づくさらに別の例示的な方法のフロー図である。図４の方法は、図２の方法と類似しており、ディスプレイ装置の状態を判定するステップ、および、情報をディスプレイ装置に送る前に必要な場合にはディスプレイ装置を動作させるステップ、が追加されている。例示的な方法では、ディスプレイ装置の状態の判定および必要な場合にディスプレイ装置を動作状態にすることは、ステップ４０５によって行われていて、ステップ４０５では、ディスプレイ装置の状態が判定される。この判定は、例えば、ディスプレイ装置への電流の流入、ディスプレイ装置からのフィードバック信号などのさまざまな手段によって行われてよい。ＩＤのディスプレイ装置が、動作していない場合、ステップ４１０に進み、ディスプレイ装置が動作させられ、ＩＤのディスプレイ装置が動作している場合には、プロセスは直接ステップ２１５に進んで、ステップ２１５では、情報がディスプレイ装置に伝送される。
【００４０】
本発明のある種の特徴および実施の形態が記載されたが、本発明の別の実施の形態が本明細書および本明細書に記載された本発明の実施の形態の実現を考慮することによって当業者には明らかとなるであろう。さらに、本発明の実施の形態が、メモリおよびその他の記憶媒体に記憶されたデータに関連するものとして記載されたが、当業者は、これらの態様が、二次記憶装置、ハードディスク、フレキシブルディスク、ＣＤ−ＲＯＭ、インターネットからの搬送波、または、その他の形態のＲＡＭもしくはＲＯＭ、のような別の種類のコンピュータが読み取り可能な媒体に記憶されそれらの媒体から読み取られてよいことを適正に評価するはずである。さらに、開示された方法のステップが、本発明の原理を逸脱せずに、ステップの順番を変更する、および／または、ステップを挿入もしくは削除する、などの任意の方法で変更されてよい。
【００４１】
図３および図４の方法は、別々の実施の形態として示されたが、本発明は、本発明の実施の形態の特徴が望まれるように組み合わされてよいという点で、制約を受けない。
【００４２】
したがって、本発明の真の範囲および真髄は特許請求の範囲およびその等価物の全範囲によって示されていて、本明細書は例示的なものであるとのみ考えられること、が意図されている。
【００４３】
〔実施の態様〕
この発明の具体的な実施態様は以下の通りである。
（１）携帯用医療装置とディスプレイ装置との間のインターフェースを提供する方法において、
前記携帯用医療装置から信号を受信する過程であって、前記携帯用医療装置上に表示されるデータの少なくとも一部に対応する情報を前記信号が含む、過程と、
前記携帯用医療装置上に表示される前記データに対応する前記情報を前記ディスプレイ装置へ送信する過程であって、前記携帯用医療装置上に提供される画像に比べて、前記携帯用医療装置上に表示される前記データのより大きな画像を提供するように前記ディスプレイ装置が構成されている、過程と、
を具備する、方法。
（２）実施態様（１）に記載の方法において、
前記携帯用医療装置が、注入装置、グルコース計（glucometer）、ならびに、システムとして一体にまたは別個に動作する注入装置およびグルコース計の組み合わせを含む装置、のうちのいずれかを含む、方法。
（３）実施態様（１）に記載の方法において、
前記携帯用医療装置が、前記信号を生み出すように構成されている、方法。
（４）実施態様（１）に記載の方法において、
前記信号が、承認された携帯用医療装置から送信されたか否かを判定する過程と、
前記判定に基づいて、前記ディスプレイ装置に前記情報が送信されることを許可する過程と、
をさらに具備する、方法。
（５）実施態様（１）に記載の方法において、
前記携帯用医療装置からの前記信号の受信に基づいて、前記ディスプレイ装置を動作させる過程、
をさらに具備する、方法。
（６）実施態様（１）に記載の方法において、
前記情報の第１の部分を前記ディスプレイ装置の第１の領域に表示し、前記情報の後続部分（further portion）を前記ディスプレイ装置の別の部分に表示する過程、
をさらに具備する、方法。
（７）実施態様（１）に記載の方法において、
前記ディスプレイ装置に送信された前記信号の一部に基づいて、前記ディスプレイ装置から利用者に視覚的および／または聴覚的警告の少なくとも一つを提供する過程、
をさらに具備する、方法。
（８）実施態様（１）に記載の方法において、
前記ディスプレイ装置に送信された前記情報の少なくとも一部を聴覚的に知らせる、方法。
（９）実施態様（１）に記載の方法において、
前記送信する過程が、オーディオ／ビデオフォーマットを有する信号を含む、方法。
（１０）注入装置、グルコース計、および、ディスプレイ装置の間のインターフェースを提供する方法において、
前記グルコース計および前記注入装置のうちの少なくとも一つからの対応する信号を受信する過程であって、前記グルコース計および前記注入装置の両方が前記対応する信号を生み出すように構成されていて、前記対応する信号は、前記グルコース計および前記注入装置のうちの少なくとも一つに表示されるデータの少なくとも一部に対応する情報を含む、過程と、
前記グルコース計および前記注入装置のうちの少なくとも一つに表示される前記データの前記少なくとも一部に対応する前記情報を送信する過程であって、前記グルコース計および前記注入装置のうちの少なくとも一つに表示される画像に比べて、前記グルコース計および前記注入装置のうちの少なくとも一つに表示される前記対応するデータのより大きな画像を提供するように前記ディスプレイ装置が構成された、過程と、
を具備する、方法。
【００４４】
（１１）実施態様（１０）に記載の方法において、
前記信号が無線で受信される、方法。
（１２）実施態様（１０）に記載の方法において、
前記情報が無線で送信される、方法。
（１３）実施態様（１０）に記載の方法において、
前記グルコース計からの前記情報を前記ディスプレイ装置の第１の領域に表示し、前記注入装置からの前記情報を前記ディスプレイ装置の別の部分に表示する過程、
をさらに具備する、方法。
（１４）実施態様（１３）に記載の方法において、
前記グルコース計からの前記情報および前記注入装置からの前記情報を順番に前記ディスプレイ装置上に表示する過程、
をさらに具備する、方法。
（１５）携帯用医療装置とディスプレイ装置との間のインターフェースを提供するシステムにおいて、
前記携帯用医療装置から信号を受信する手段であって、前記携帯用医療装置上に表示されるデータの少なくとも一部に対応する情報を前記信号が含む、手段と、
前記携帯用医療装置上に表示される前記データに対応する前記情報を前記ディスプレイ装置に送信する手段であって、前記携帯用医療装置上に提供される画像に比べて、前記携帯用医療装置上に表示される前記データのより大きな画像を提供するように前記ディスプレイ装置が構成されている、手段と、
を具備する、システム。
（１６）実施態様（１５）に記載のシステムにおいて、
前記携帯用医療装置が、前記信号を生み出すように構成されている、システム。
（１７）実施態様（１５）に記載のシステムにおいて、
前記ディスプレイ装置に前記情報を送信するか否かを判定する手段、
をさらに具備する、システム。
（１８）実施態様（１５）に記載のシステムにおいて、
受信された前記信号に基づいて、前記ディスプレイ装置を動作させる手段、
をさらに具備する、システム。
（１９）実施態様（１５）に記載のシステムにおいて、
前記携帯用医療装置からの前記情報を表示するように前記ディスプレイ装置を制御する手段、
をさらに具備する、システム。
（２０）実施態様（１５）に記載のシステムにおいて、
前記携帯用医療装置が、注入装置、グルコース計、ならびに、システムとして一体でまたは別々に動作する注入装置およびグルコース計の組み合わせを含む装置、のうちの一つを含む、システム。
【００４５】
（２１）実施態様（２０）に記載のシステムにおいて、
前記注入装置および前記グルコース計が、共通のハウジング内に収容されている、システム。
（２２）携帯用医療装置とディスプレイ装置との間のインターフェースを提供するシステムにおいて、
データベースを維持するためのメモリと、
前記メモリに接続された処理ユニットであって、
前記処理ユニットが、
前記携帯用医療装置からの信号を受信する過程であって、前記携帯用医療装置上に表示されるデータの少なくとも一部に対応する情報を前記信号が含む、過程、ならびに、
前記携帯用医療装置上に表示される前記データに対応する前記情報を前記ディスプレイ装置に送信する過程であって、前記携帯用医療装置上に提供される画像に比べて、前記携帯用医療装置上に表示される前記データの少なくとも一部のより大きな画像を提供するように前記ディスプレイ装置が構成されている、過程、
を実行する、処理ユニットと、
を具備する、システム。
【図面の簡単な説明】
【００４６】
【図１】本発明の例示的な実施の形態との一貫性を有する例示的なインターフェースシステムのブロック図である。
【図２】本発明の例示的な実施の形態との一貫性を有する携帯用医療装置とディスプレイ装置との間のインターフェースを提供する例示的な方法のフロー図である。
【図３】本発明に基づく別の例示的な方法のフロー図である。
【図４】本発明に基づくさらに別の例示的な方法のフロー図である。
【図１】
2008501476.tif 000003
【図２】
2008501476.tif 000004
【図３】
2008501476.tif 000005
【図４】
2008501476.tif 000006
【国際調査報告】
2008501476.tif 000007